(57)【要約】【課題】停電状況を周知する広報担当者の周知業務の効率化を図ること。【解決手段】端末装置１２０から出力された所定の要求を受け付けた場合に、配電自動化システム１０１から取得された情報を含む停電周知用情報を、当該要求の出力元の端末装置１２０に対して出力する管理サーバ１１０と、管理サーバ１１０から出力された停電周知用情報に基づいて、停電している区間を停電していない区間と区別して示す停電周知用系統図および当該停電の区間に含まれる需用家数を表示画面における単一の領域内に表示させる端末装置１２０と、停電情報共有化システム１００を構成した。【選択図】図１
2018041229.tif 000002
【特許請求の範囲】
【請求項１】
表示画面を備える端末装置と、当該端末装置と通信可能な管理サーバと、を備えた停電情報共有化システムであって、
前記管理サーバは、
変電所から需要家までの配電網に設置された開閉器の監視および制御をおこなう配電自動化システムから、当該配電網において発生している停電の区間、当該停電の区間を含む配電系統図、当該停電の区間に含まれる需用家数に関する情報を取得する停電情報取得手段と、
前記端末装置から出力された要求を受け付けた場合に、前記停電情報取得手段によって取得された情報を含む停電周知用情報を、前記要求の出力元の端末装置に対して出力する出力手段と、を備え、
前記端末装置は、
前記管理サーバから出力された停電周知用情報に基づいて、停電している区間を停電していない区間と区別して示す停電周知用系統図および当該停電の区間に含まれる需用家数を前記表示画面における単一の領域内に表示させる表示手段を備えたことを特徴とする停電情報共有化システム。
【請求項２】
前記停電情報取得手段は、前記端末装置から出力された要求を受け付けた場合に、該当する情報を取得することを特徴とする請求項１に記載の停電情報共有化システム。
【請求項３】
前記停電情報取得手段は、前記停電の区間に含まれる需用家に対する停電の周知業務の進捗状況に関する情報を記憶する停電管理システムから、当該進捗状況に関する情報を取得し、
前記表示手段は、前記管理サーバから出力された停電周知用情報に基づいて、前記進捗状況を前記表示画面に表示させることを特徴とする請求項１または２に記載の停電情報共有化システム。
【請求項４】
前記表示手段は、前記表示画面において、停電周知用系統図および前記需用家数と、前記進捗状況とを切り替えて表示させることを特徴とする請求項３に記載の停電情報共有化システム。
【請求項５】
前記停電情報取得手段は、需用家からの問い合わせ内容および当該問い合わせに対する対応内容に関する情報を記憶する申出内容管理システムから、前記停電に関する問い合わせ内容および当該問い合わせに対する対応内容に関する情報を取得し、
前記表示手段は、前記管理サーバから出力された停電周知用情報に基づいて、前記停電に関する問い合わせ内容および前記対応内容を前記表示画面に表示させることを特徴とする請求項１〜４のいずれか一つに記載の停電情報共有化システム。
【請求項６】
前記表示手段は、前記表示画面において、停電周知用系統図および前記需用家数と、前記停電に関する問い合わせ内容および前記対応内容とを切り替えて表示させることを特徴とする請求項５に記載の停電情報共有化システム。
【発明の詳細な説明】
【技術分野】
【０００１】
この発明は、停電状況の周知業務を支援する停電情報共有化システムに関する。
【背景技術】
【０００２】
配電線事故により地域的な停電が発生した場合、停電の周知業務を担当する広報担当者が広報車に乗車して停電が発生した現地へ出向き、拡声器を用いて停電のお詫びや復旧状況の周知をおこなっている。従来、広報担当者は、現地に到着した後、指令者や作業担当者間で取り交わされる無線の聞き取り結果、現地の作業担当者から収集した情報、携帯電話による営業所とのやり取りの内容などの、停電に関する各種の情報に基づいて、刻々と変化する配電線の停電範囲の把握に努める。また、従来、広報担当者は、停電に関する各種の情報と、手持ちの配電系統図とを照らし合わせて、実際に停電している地域を確認した後、該当する地域において周知をおこなっていた。
【０００３】
また、従来、広報担当者は、広報車に乗車し、拡声器を用いておこなう周知の合間に、営業所に対して、実際に停電の発生を確認した地域や、当該地域における周知状況などを報告していた。また、従来、広報担当者は、電気事業者の営業所やカスタマーセンターに対して、停電対象地域における電気の受給者からなされた停電に関する問い合わせなどの対応を現地においておこなう場合がある。
【０００４】
関連する技術として、従来、事故停電が発生した場合に，停電を周知すべき地域における効率的な巡回ルートを設定し，そのルートを広報車に搭載されたカーナビゲーション装置に表示するようにした技術があった（たとえば、下記特許文献１を参照。）。
【先行技術文献】
【特許文献】
【０００５】
【特許文献１】特開２０１４−２１１６９３号公報
【発明の概要】
【発明が解決しようとする課題】
【０００６】
しかしながら、上述した特許文献１を含む従来の技術は、広報担当者が停電状況を把握するまでに手間がかかるという問題があった。また、上述した特許文献１を含む従来の技術は、広報担当者が停電状況を把握するまでに手間がかかるため、正確な情報を取得するまでに時間がかかり、情報を取得したときには、取得した情報が示す現場の状況と実際の現場の状況とが異なってしまい、需要家に正確な情報を迅速に提供することが難しいという問題があった。
【０００７】
この発明は、上述した従来技術による問題点を解消するため、停電状況を周知する広報担当者の周知業務の効率化を図ることができる停電情報共有化システムを提供することを目的とする。
【０００８】
また、この発明は、上述した従来技術による問題点を解消するため、需要家に正確な情報を迅速に提供することができる停電情報共有化システムを提供することを目的とする。
【課題を解決するための手段】
【０００９】
上述した課題を解決し、目的を達成するため、この発明にかかる停電情報共有化システムは、表示画面を備える端末装置と、当該端末装置と通信可能な管理サーバと、を備えた停電情報共有化システムであって、前記管理サーバが、変電所から需要家までの配電網に設置された開閉器の監視および制御をおこなう配電自動化システムから、当該配電網において発生している停電の区間、当該停電の区間を含む配電系統図、当該停電の区間に含まれる需用家数に関する情報を取得する停電情報取得手段と、前記端末装置から出力された要求を受け付けた場合に、前記停電情報取得手段によって取得された情報を含む停電周知用情報を、前記要求の出力元の端末装置に対して出力する出力手段と、を備え、前記端末装置が、前記管理サーバから出力された停電周知用情報に基づいて、停電している区間を停電していない区間と区別して示す停電周知用系統図および当該停電の区間に含まれる需用家数を前記表示画面における単一の領域内に表示させる表示手段を備えたことを特徴とする。
【００１０】
また、この発明にかかる停電情報共有化システムは、上記の発明において、前記停電情報取得手段が、前記端末装置から出力された要求を受け付けた場合に、該当する情報を取得することを特徴とする。
【００１１】
また、この発明にかかる停電情報共有化システムは、上記の発明において、前記停電情報取得手段が、前記停電の区間に含まれる需用家に対する停電の周知業務の進捗状況に関する情報を記憶する停電管理システムから、当該進捗状況に関する情報を取得し、前記表示手段が、前記管理サーバから出力された停電周知用情報に基づいて、前記進捗状況を前記表示画面に表示させることを特徴とする。
【００１２】
また、この発明にかかる停電情報共有化システムは、上記の発明において、前記表示手段が、前記表示画面において、停電周知用系統図および前記需用家数と、前記進捗状況とを切り替えて表示させることを特徴とする。
【００１３】
また、この発明にかかる停電情報共有化システムは、上記の発明において、前記停電情報取得手段が、需用家からの問い合わせ内容および当該問い合わせに対する対応内容に関する情報を記憶する申出内容管理システムから、前記停電に関する問い合わせ内容および当該問い合わせに対する対応内容に関する情報を取得し、前記表示手段が、前記管理サーバから出力された停電周知用情報に基づいて、前記停電に関する問い合わせ内容および前記対応内容を前記表示画面に表示させることを特徴とする。
【００１４】
また、この発明にかかる停電情報共有化システムは、上記の発明において、前記表示手段が、前記表示画面において、停電周知用系統図および前記需用家数と、前記停電に関する問い合わせ内容および前記対応内容とを切り替えて表示させることを特徴とする。
【発明の効果】
【００１５】
この発明にかかる停電情報共有化システムによれば、停電状況を周知する広報担当者の周知業務の効率化を図ることができるという効果を奏する。
【００１６】
また、この発明にかかる停電情報共有化システムによれば、需要家に正確な情報を迅速に提供することができるという効果を奏する。
【図面の簡単な説明】
【００１７】
【図１】この発明にかかる実施の形態の停電情報共有化システムのシステム構成を示す説明図である。
【図２Ａ】コンピュータ装置のハードウエア構成の一例を示す説明図である。
【図２Ｂ】端末装置のハードウエア構成の一例を示すブロック図である。
【図３】停電情報共有化システムの機能的構成を示すブロック図である。
【図４】表示画面における表示内容の一例を示す説明図（その１）である。
【図５】表示画面における表示内容の一例を示す説明図（その２）である。
【図６】表示画面における表示内容の一例を示す説明図（その３）である。
【図７】従来の停電の周知業務の流れを示す説明図である。
【図８】停電情報共有化システムを利用した停電の周知業務の流れを示す説明図である。
【図９】管理サーバの処理手順を示すフローチャートである。
【図１０】端末装置の処理手順を示すフローチャートである。
【発明を実施するための形態】
【００１８】
以下に添付図面を参照して、この発明にかかる停電情報共有化システムの好適な実施の形態を詳細に説明する。
【００１９】
まず、この発明にかかる実施の形態の停電情報共有化システムのシステム構成について説明する。図１は、この発明にかかる実施の形態の停電情報共有化システムのシステム構成を示す説明図である。図１において、停電情報共有化システム１００は、管理サーバ１１０と、端末装置１２０と、を備えている。管理サーバ１１０は、たとえば、パーソナルコンピュータなどのコンピュータ装置によって実現することができる（図２Ａを参照）。端末装置１２０は、たとえば、タブレット型のモバイルパソコンによって実現することができる（図２Ｂを参照）。
【００２０】
管理サーバ１１０は、インターネットなどのネットワークを介して、端末装置１２０と通信可能に接続されている。また、管理サーバ１１０は、配電自動化システム１０１、Ｗｅｂ系停電管理システム１０２および申出内容管理システム１０３と、インターネットなどのネットワークを介して、それぞれ通信可能に接続されている。
【００２１】
配電自動化システム１０１は、変電所から需要家までの配電網に設置された開閉器の監視および制御をおこなう配電自動化サーバを備えており、配電線事故による故障区間の自動検出や配電網に設置された開閉器の遠隔操作などをおこない、配電線事故が発生した際の系統切替などをおこなうことによって自動復旧処理をおこなう。配電自動化サーバは、たとえば、パーソナルコンピュータなどのコンピュータ装置によって実現することができる（図２Ａを参照）。
【００２２】
管理サーバ１１０は、配電自動化サーバと通信をおこなうことにより、当該配電自動化サーバから停電に関する各種の情報を取得する。管理サーバ１１０は、配電自動化サーバから、たとえば、配電網において発生している停電の区間、当該停電の区間を含む配電系統図、当該停電の区間に含まれる需用家数に関する情報を取得する。
【００２３】
Ｗｅｂ系停電管理システム１０２は、停電に関する情報を記憶するＷｅｂ系停電管理サーバと、電気事業者の営業所などに設置された営業所端末と、によって構成される。Ｗｅｂ系停電管理サーバは、たとえば、パーソナルコンピュータなどのコンピュータ装置によって実現することができる（図２Ａを参照）。Ｗｅｂ系停電管理サーバは、停電の区間に含まれる需用家数に関する情報を記憶している。Ｗｅｂ系停電管理サーバは、具体的には、たとえば、停電の区間に該当する地域名ごとに、各区間に含まれる需用家数に関する情報を関連付けて記憶している。
【００２４】
また、Ｗｅｂ系停電管理サーバは、需用家に対する停電の周知業務の進捗状況に関する情報を記憶している。停電の周知業務の進捗状況に関する情報は、具体的には、たとえば、「広報車現地到着」、「周知開始」、「戸別周知完了」などのテキストデータによって実現することができる。
【００２５】
また、停電の周知業務の進捗状況に関する情報は、たとえば、停電の発生時刻や復旧時刻、停電の原因などに関する情報を含んでいてもよい。さらに、停電の周知業務の進捗状況に関する情報は、たとえば、配電自動化システム１０１によって特定される停電区間や当該停電区間における停電の復旧見込みに関する情報を含んでいてもよい。
【００２６】
Ｗｅｂ系停電管理サーバが記憶する各種の情報は、たとえば、各営業所において受け付けた需用家からの電話などによる問い合わせのうち、停電に関する問い合わせに対応した電話受付担当者などが営業所端末を操作することによって、当該営業所端末を介して入力される。営業所端末は、ディスプレイやキーボードを備えた汎用的なパーソナルコンピュータによって実現することができ、キーボードに対する入力操作に応じてＷｅｂ系停電管理サーバに対して、停電に関する情報のＷｅｂ系停電管理サーバからの送信を要求することもできる。
【００２７】
管理サーバ１１０は、Ｗｅｂ系停電管理サーバと通信をおこなうことにより、当該Ｗｅｂ系停電管理サーバから停電に関する各種の情報を取得する。管理サーバ１１０は、Ｗｅｂ系停電管理サーバから、たとえば、当該Ｗｅｂ系停電管理サーバが記憶する停電に関する情報のうち、広報担当者が指定した地域における停電に関する情報を取得するようにしてもよい。
【００２８】
申出内容管理システム１０３は、需用家からの問い合わせ内容および当該問い合わせに対する対応内容に関する情報を記憶する申出内容管理サーバを備えている。申出内容管理サーバは、たとえば、パーソナルコンピュータなどのコンピュータ装置によって実現することができる（図２Ａを参照）。
【００２９】
申出内容管理サーバが記憶する各種の情報は、たとえば、各営業所において需用家からの電話などによる問い合わせに対応した場合に、当該問い合わせに対応した電話受付担当者などが営業所端末を操作することによって、当該営業所端末を介して入力される。申出内容管理サーバは、停電に関する問い合わせに限らず、需用家からのすべての申出の内容および当該申出に対する対応内容に関する情報を記憶する。これにより、需用家の申出内容を電気事業者全体で把握し、サービス向上に利用することができる。問い合わせや申出の内容および問い合わせや申出に対する対応内容に関する情報は、たとえば、テキストデータによって実現される。
【００３０】
管理サーバ１１０は、申出内容管理サーバと通信をおこなうことにより、当該申出内容管理サーバから停電に関する各種の情報を取得する。管理サーバ１１０は、申出内容管理サーバから、たとえば、当該申出内容管理サーバに記憶された各種の申出の内容に関する情報のうち、停電に関する情報を取得する。具体的に、管理サーバ１１０は、申出内容管理サーバに記憶された各種の申出の内容に関する情報から、たとえば、「停電」や「復旧見込み」などの停電に関係するキーワードを含む情報を取得する。
【００３１】
管理サーバ１１０は、たとえば、端末装置１２０から出力された所定の要求を受け付けた場合に、配電自動化サーバ、Ｗｅｂ系停電管理サーバおよび申出内容管理サーバと通信をおこなって、停電に関係するキーワードを含む、需用家からの問い合わせ内容および当該問い合わせに対する対応内容に関する情報を取得する。所定の要求は、管理サーバ１１０に対して、停電周知用情報の端末装置１２０への送信を求める情報を含んでいる。
【００３２】
あるいは、管理サーバ１１０は、配電自動化サーバ、Ｗｅｂ系停電管理サーバおよび申出内容管理サーバと定期的に通信をおこなうことにより、常に最新の情報を取得してもよい。また、あるいは、管理サーバ１１０は、配電自動化サーバ、Ｗｅｂ系停電管理サーバおよび申出内容管理サーバのそれぞれが記憶する情報のうち、いずれかの情報が更新された場合に該当するサーバと通信をおこなうことにより、常に最新の情報を取得するようにしてもよい。
【００３３】
（コンピュータ装置のハードウエア構成の一例）
つぎに、管理サーバ１１０、配電自動化サーバ、Ｗｅｂ系停電管理サーバおよび申出内容管理サーバを実現するコンピュータ装置のハードウエア構成の一例について説明する。図２Ａは、コンピュータ装置のハードウエア構成の一例を示す説明図である。図２Ａにおいて、コンピュータ装置は、ＣＰＵ（Ｃｅｎｔｒａｌ  Ｐｒｏｃｅｓｓｉｎｇ  Ｕｎｉｔ）２１１と、メモリ２１２と、ネットワークＩ／Ｆ（Ｉｎｔｅｒｆａｃｅ）２１３と、を備えている。コンピュータ装置が備える各部２１１〜２１３は、バス２１４によってそれぞれ接続されている。ＣＰＵ２１１は、コンピュータ装置の全体の制御をつかさどる。
【００３４】
メモリ２１２は、ブートプログラムなどのプログラムや各種のデータベースを構成するデータなどを記憶している。メモリ２１２は、ＣＰＵ２１１のワークエリアとして使用される。メモリ２１２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などによって実現することができる。
【００３５】
ネットワークＩ／Ｆ２１３は、インターネットなどのネットワークに接続され、コンピュータ装置の内部と外部装置とのインターフェイスをつかさどる。ネットワークＩ／Ｆ２１３は、コンピュータ装置の内部と、自装置以外のサーバを実現するコンピュータ装置などの外部装置と、の間におけるデータの入出力を制御する。管理サーバ１１０を実現するコンピュータ装置は、ネットワークＩ／Ｆ２１３を介して、配電自動化サーバ、Ｗｅｂ系停電管理サーバおよび申出内容管理サーバから、停電に関する各種の情報を取得することができる。
【００３６】
（端末装置１２０のハードウエア構成の一例）
つぎに、端末装置１２０のハードウエア構成の一例について説明する。図２Ｂは、端末装置１２０のハードウエア構成の一例を示すブロック図である。図２Ｂにおいて、端末装置１２０は、ＣＰＵ２２１と、メモリ２２２と、ネットワークＩ／Ｆ２２３と、表示画面２２４と、入力装置２２５と、を備えている。端末装置１２０が備える各部２２１〜２２５は、バス２２６によってそれぞれ接続されている。
【００３７】
ＣＰＵ２２１は、端末装置１２０の全体の制御をつかさどる。ＣＰＵ２２１は、メモリ２２２が記憶する各種のプログラムやデータを用いて、端末装置１２０の全体の制御をつかさどる。メモリ２２２は、上記のメモリ２１２と同様に、ＲＯＭ、ＲＡＭ、ＨＤＤおよびＨＤなどによって実現することができる。ネットワークＩ／Ｆ２２３は、端末装置１２０の内部と管理サーバ１１０とのインターフェイスをつかさどる。
【００３８】
表示画面２２４は、たとえば、後述する停電状況案内画面を表示する。表示画面２２４は、具体的には、たとえば、液晶パネルによって実現することができる。液晶パネルは、透明電極が組み込まれた一対のガラス基板によって液晶材料（液晶分子）を挟み、このガラス基板に偏光フィルタを設けることによって構成されている。液晶パネルは、電極に電圧を加えて液晶分子の向きを変化させることによって、ガラス基板を透過する光の状態を制御する。また、液晶パネルは、光源として、バックライトを備えている。これにより自らは発光しない液晶分子が表示する画像を照明することができる。
【００３９】
入力装置２２５は、文字、数値、各種指示などの入力のためのキーを備え、入力装置２２５に対する入力操作に応じた信号をＣＰＵ２２１に対して出力する。入力装置２２５は、表示画面２２４に積層されたタッチパネルによって実現することができる。入力装置２２５を実現するタッチパネルは、表示画面２２４の表示面側に積層される。
【００４０】
タッチパネルは、抵抗膜方式、静電容量方式、電磁誘導方式、表面弾性波方式など公知の各種の方式によって、指やペンなどの筆記部材のタッチパネルにおける接触位置を検出し、検出した接触位置に応じた電気信号を、ＣＰＵ２２１に対して出力する。電磁誘導方式を採用する場合、電子ペンなどと称される専用の筆記部材を用いる。
【００４１】
（停電情報共有化システム１００の機能的構成）
つぎに、停電情報共有化システム１００の機能的構成について説明する。図３は、停電情報共有化システム１００の機能的構成を示すブロック図である。図３において、停電情報共有化システム１００における管理サーバ１１０の各機能は、停電情報取得部３０１と、停電周知用情報生成部３０２と、出力部３０３と、入力情報受信部３０４と、入力情報送信部３０５と、によって実現することができる。
【００４２】
停電情報取得部３０１は、配電自動化システム１０１から、当該配電網において発生している停電の区間、当該停電の区間を含む配電系統図、停電の区間に含まれる需要家数に関する情報を取得する。停電情報取得部３０１は、配電網において開状態になっている開閉器または当該開閉器の間の区間を示す情報を、停電の区間に関する情報として取得する。配電系統図は、送電網から送電された電気を受電する変電所と各需要家の受電設備とを接続し、変電所において受電した電気を各需用家まで配電する配電網を示す。配電系統図は、配電網の各所に設置された開閉器の位置も示す。
【００４３】
停電情報取得部３０１は、たとえば、端末装置１２０から出力された所定の要求を受け付けた場合に、停電の区間、配電系統図および需要家数に関する情報を取得する。停電情報取得部３０１の機能は、管理サーバ１１０を実現するコンピュータ装置が備えるＣＰＵ２１１や、ネットワークＩ／Ｆ２１３などによって実現することができる。
【００４４】
また、停電情報取得部３０１は、Ｗｅｂ系停電管理システム１０２から、停電の区間に含まれる需用家に対する停電の周知業務の進捗状況に関する情報を取得してもよい。停電情報取得部３０１は、たとえば、端末装置１２０から出力された所定の要求を受け付けた場合に、Ｗｅｂ系停電管理サーバとの間で通信をおこない、当該Ｗｅｂ系停電管理サーバが記憶する進捗状況に関する情報を取得する。
【００４５】
また、停電情報取得部３０１は、申出内容管理システム１０３から、停電に関する問い合わせ内容および当該問い合わせに対する対応内容に関する情報を取得する。停電情報取得部３０１は、たとえば、端末装置１２０から出力された所定の要求を受け付けた場合に、申出内容管理サーバとの間で通信をおこない、当該申出内容管理サーバが記憶する、需用家からの問い合わせ内容および当該問い合わせに対する対応内容に関する情報を取得する。
【００４６】
停電周知用情報生成部３０２は、停電情報取得部３０１によって取得された情報に基づいて、停電周知用情報を出力する。停電周知用情報は、停電情報取得部３０１によって取得された情報を含む。具体的に、停電周知用情報は、配電網における各開閉器の開閉状態（開状態であるか閉状態であるか）を示す情報を含む配電系統図を示す情報を含む。
【００４７】
停電周知用情報生成部３０２は、生成した停電周知用情報を記憶する記憶部（図示を省略する）を備えていてもよい。記憶部の機能は、たとえば、管理サーバ１１０を実現するコンピュータ装置が備えるＣＰＵ２１１やメモリ２１２などによって実現することができる。この場合、記憶部は、停電周知用情報に加えて、あるいは、停電周知用情報に代えて、停電情報取得部３０１によって取得された情報を記憶していてもよい。また、この場合、記憶部は、停電周知用情報を生成した日時、あるいは、各情報を取得した日時に関する情報を、各情報に関連付けて記憶してもよい。
【００４８】
また、停電周知用情報は、停電情報取得部３０１によって取得された情報を含む。具体的に、停電周知用情報は、停電の区間に含まれる需用家数や、停電の区間に含まれる需用家に対する停電の周知業務の進捗状況に関する情報を含む。停電周知用情報は、停電の区間に含まれる地域ごとの需用家数に関する情報を含んでいてもよい。
【００４９】
出力部３０３は、端末装置１２０から出力された所定の要求を受け付けた場合に、当該の出力元の端末装置１２０に対して停電周知用情報を出力する。出力部３０３は、端末装置１２０から出力された所定の要求を受け付けた場合に、停電情報取得部３０１によって取得された情報を含む停電周知用情報を、当該要求の出力元の端末装置１２０に対して出力してもよい。この場合、停電周知用情報は、停電に関する問い合わせ内容および当該問い合わせに対する対応内容に関する情報を含む。出力部３０３の機能は、管理サーバ１１０を実現するコンピュータ装置が備えるＣＰＵ２１１や、ネットワークＩ／Ｆ２１３などによって実現することができる。
【００５０】
入力情報受信部３０４は、端末装置１２０から送信された入力情報を受信する。入力情報は、広報担当者による端末装置１２０の入力操作によって入力された情報であって、たとえば、広報担当者が停電の現地で需要家から受けた問い合わせの内容や、当該問い合わせに対する対応内容などを示すテキストデータによって実現される。入力情報は、当該入力情報の送信先を指定する情報を含んでいる。具体的に、入力情報の送信先は、Ｗｅｂ系停電管理システム１０２または申出内容管理装置に指定される。入力情報受信部３０４の機能は、管理サーバ１１０を実現するコンピュータ装置が備えるＣＰＵ２１１や、ネットワークＩ／Ｆ２１３などによって実現することができる。
【００５１】
入力情報送信部３０５は、入力情報受信部３０４が受信した入力情報を、当該入力情報によって指定される送信先に送信する。具体的に、入力情報送信部３０５は、入力情報受信部３０４が受信した入力情報を、Ｗｅｂ系停電管理システム１０２または申出内容管理装置に対して送信する。入力情報送信部３０５の機能は、管理サーバ１１０を実現するコンピュータ装置が備えるＣＰＵ２１１や、ネットワークＩ／Ｆ２１３などによって実現することができる。
【００５２】
停電情報共有化システム１００における端末装置１２０の各機能は、入力受付部３１１と、通信部３１２と、表示部３１３と、によって実現される。入力受付部３１１は、広報担当者による入力操作を受け付ける。入力受付部３１１は、たとえば、管理サーバ１１０に対して、停電周知用情報の送信を要求する入力操作を受け付ける。
【００５３】
また、入力受付部３１１は、たとえば、停電状況に関する情報の入力を受け付ける。停電状況に関する情報は、広報担当者が現場において確認した内容や、現場において需用家から受けた問い合わせの内容、および、当該問い合わせに対する対応内容などを含む。入力受付部３１１の機能は、端末装置１２０が備えるＣＰＵ２２１、メモリ２２２、入力装置２２５などによって実現することができる。
【００５４】
通信部３１２は、入力受付部３１１において所定の入力操作を受け付けた場合に、当該入力操作に応じて管理サーバ１１０との間で通信をおこない、当該管理サーバ１１０に対して停電周知用情報の送信を求める要求を送信する。また、通信部３１２は、入力受付部３１１において停電状況に関する情報の入力を受け付けた場合、当該情報を管理サーバ１１０に対して送信する。
【００５５】
停電状況に関する情報を受信した管理サーバ１１０は、受信した情報を、Ｗｅｂ系停電管理サーバや申出内容管理サーバに送信する。Ｗｅｂ系停電管理サーバや申出内容管理サーバは、管理サーバ１１０を介して端末装置１２０から送信された停電状況に関する情報を、所定の領域に記憶する。これにより、広報担当者が確認した現場の状況が、リアルタイムでＷｅｂ系停電管理システム１０２や申出内容管理システム１０３に反映される。
【００５６】
また、通信部３１２は、上記の要求を送信した結果、管理サーバ１１０から出力された停電周知用情報を受信する。通信部３１２の機能は、端末装置１２０が備えるＣＰＵ２２１、メモリ２２２、ネットワークＩ／Ｆ２２３などによって実現することができる。
【００５７】
表示部３１３は、管理サーバ１１０から出力された停電周知用情報に基づいて、停電している区間を停電していない区間と区別して示す停電周知用系統図、および、当該停電の区間に含まれる需用家数を、表示画面２２４における単一の領域内に表示させる（図４を参照）。具体的には、表示部３１３は、表示画面２２４において、開閉器の位置を示す配電系統図に、需用家数を示す数字を重ね合わせて表示する。
【００５８】
また、表示部３１３は、表示画面２２４において、配電系統図における各開閉器の開閉状態を表示する。具体的には、各開閉器が開状態であるか閉状態であるかに応じて、配電系統図において開閉器を示す記号の色を異ならせて表示する。
【００５９】
表示部３１３は、管理サーバ１１０から出力された停電周知用情報に基づいて、進捗状況を表示画面２２４に表示させてもよい（図５を参照）。この場合、表示部３１３は、たとえば、表示画面２２４において、停電周知用系統図および需用家数と、進捗状況とを切り替えて表示する。停電周知用系統図および需用家数と、進捗状況との切り替えは、入力受付部３１１において切り替えをおこなう入力操作を受け付けた場合におこなう。
【００６０】
また、表示部３１３は、管理サーバ１１０から出力された停電周知用情報に基づいて、停電に関する問い合わせ内容および対応内容を表示画面２２４に表示させてもよい（図６を参照）。この場合、表示部３１３は、たとえば、表示画面２２４において、停電周知用系統図および需用家数と、停電に関する問い合わせ内容および対応内容とを切り替えて表示する。停電周知用系統図および需用家数と、停電に関する問い合わせ内容および対応内容との切り替えは、入力受付部３１１において切り替えをおこなう入力操作を受け付けた場合におこなう。
【００６１】
（表示内容の一例）
つぎに、表示画面２２４における表示内容の一例について説明する。図４、図５および図６は、表示画面２２４における表示内容の一例を示す説明図である。図４は、表示画面２２４において、停電している区間４０１ａを停電していない区間４０１ｂと区別して示す停電周知用系統図４０１、および、当該停電の区間４０１ａに含まれる需用家数４０２を表示した状態を示している。
【００６２】
このように、停電している区間４０１ａを停電していない区間４０１ｂと区別して示す停電周知用系統図４０１を表示することにより、広報担当者に対して、停電している区間４０１ａを迅速かつ正確に把握させることができる。端末装置１２０は、管理サーバ１１０から、停電している区間４０１ａ全体を含む停電周知用系統図４０１を示す情報を取得することが好ましい。表示画面２２４においては、タッチパネルである入力装置２２５に対するピンチインあるいはピンチアウトの操作により、表示する停電周知用系統図４０１の大きさを任意に調整することができる。
【００６３】
図５は、表示画面２２４において、事故停電詳細情報５００を表示した状態を示している。事故停電詳細情報５００は、停電周知用系統図４０１を表示している状態において所定の入力操作を受け付けた場合に表示画面２２４に表示される。事故停電詳細情報５００は、停電の区間に含まれる需用家に対する停電の周知業務の進捗状況５０１を含んでいる。
【００６４】
停電の周知業務の進捗状況５０１は、「○／○  １０：００  広報車現地到着  周知開始」、「○／○  １１：００  戸別周知完了」などのように、停電の周知業務の進捗に応じて広報担当者あるいは広報担当者から連絡を受けた営業所の電話受付担当者などによって随時入力された情報を累積して表示する。このような累積表示により、応援要請などに応じて途中から停電の周知業務に加わる広報担当者に対しても、停電の周知業務の進捗を迅速かつ正確に把握させることができる。
【００６５】
また、事故停電詳細情報５００は、配電自動化システム１０１によって特定される停電の区間を示す地域名（地区名）および当該地区における需用家数５０２や、当該停電の区間における停電の復旧見込み５０３、事故停電の理由５０４などを含んでいてもよい。事故停電の理由５０４は、不明である間は、「原因不明」を表示してもよい。
【００６６】
図６は、表示画面２２４において、需用家からの問い合わせ内容６０１や、当該問い合わせに対する対応内容６０２を表示した状態を示している。具体的に、需用家からの問い合わせ内容６０１は、たとえば、「停電の原因・復旧見込みを教えて欲しい」などのテキストデータによって示される。また、具体的に、対応内容６０２は、たとえば、「＊巡視結果、△△への鳥の接触との報告あり。」などの停電の発生原因や、「＊９／７  １５：５３  ＴＥＬ。停電でご迷惑をおかけしたお詫びをお伝えし、原因が鳥の接触であったことを案内。」などの具体的な対応内容、および、「＊自然の現象なら仕方ないとのことで、停電原因について了解済。」などの対応による結果などによって示される。
【００６７】
需用家からの問い合わせ内容６０１によって示される問い合わせに対する対応内容６０２は、対応をおこなった広報担当者によって入力される。具体的に、たとえば、図６に示した表示画面２２４の例では、対応内容６０２は、電話によって停電についてのお詫びや、停電の原因を案内し、需要家から停電原因についての了解を得た広報担当者によって入力される。このように、実際に対応をおこなった広報担当者が対応内容６０２を入力することにより、配電自動化システム１０１において、現場の状況を正確に反映することができる。
【００６８】
（従来の停電の周知業務の流れ）
つぎに、従来の停電の周知業務の流れについて説明する。図７は、従来の停電の周知業務の流れを示す説明図である。図７に示すように、従来は、配電自動化システム１０１、Ｗｅｂ系停電管理システム１０２および申出内容管理システム１０３がそれぞれ独立して存在していた。
【００６９】
このため、広報担当者は、配電自動化システム１０１にアクセス可能な指令者からの作業指示にしたがって復旧作業をおこなう作業担当者に停電の状況を確認し、作業担当者から停電情報を収集し、広報担当者自身が、停電している現場の状況を判断しながら、広報車の走行ルートを決定し、停電を周知する必要があった。また、広報担当者は、Ｗｅｂ系停電管理システム１０２や申出内容管理システム１０３が管理する情報を閲覧できる電話受付担当者に停電の状況を確認し、電話受付担当者から停電情報を収集し、広報担当者自身が、停電している現場の状況を判断しながら、広報車の走行ルートを決定し、停電を周知する必要があった。また、広報担当者は、電話受付担当者から、需用家への現場での対応の依頼を受けることがあった。
【００７０】
また、広報担当者は、停電している現場の状況を判断しながら、作業担当者や電話受付担当者に停電の状況を報告したり、停電の周知業務の進捗や結果などを報告する必要があった。さらに、広報担当者は、現地において、需用家から直接受けた問い合わせに回答したり、停電により立腹している需用家に直接説明に出向いたりする必要があった。
【００７１】
また、従来は、指令者と作業担当者、指令者と電話受付担当者は互いに連絡を取り合うことが可能であるが、広報担当者は、指令者と直接連絡を取ることはない。このため、停電の状況をリアルタイムで把握することが難しく、広報内容の正確性、信頼性に劣る場合があった。
【００７２】
（停電情報共有化システム１００を利用した停電の周知業務の流れ）
つぎに、停電情報共有化システム１００を利用した停電の周知業務の流れについて説明する。図８は、停電情報共有化システム１００を利用した停電の周知業務の流れを示す説明図である。図８に示すように、停電情報共有化システム１００においては、配電自動化システム１０１、Ｗｅｂ系停電管理システム１０２および申出内容管理システム１０３がそれぞれ管理する情報が、管理サーバ１１０において一括される。このため、停電情報共有化システム１００を利用することにより、広報担当者は、管理サーバ１１０にアクセスするだけで停電に関する各種の情報をリアルタイムに入手することができる。
【００７３】
また、広報担当者は、端末装置１２０に、停電の周知業務の進捗状況に関する情報を入力し、入力した情報を、管理サーバ１１０を介してＷｅｂ系停電管理サーバや申出内容管理サーバに送信する。具体的に、広報担当者は、たとえば、上述したように、「○／○  １０：００  広報車現地到着  周知開始」、「○／○  １１：００  戸別周知完了」などのテキストデータを入力する。
【００７４】
停電の状況は刻々と変化するため、従来は、指令者からの情報を得た作業担当者を介して得られた情報と、現場における現在の状況とが異なっている場合が想定される。これに対し、停電情報共有化システム１００を利用することにより、広報担当者は、正確かつ最新の情報に基づいて停電の周知業務をおこなうことができる。これにより、需用家に対して、現在の状況に即した、正確で信頼性の高い情報を提供することができ、誠意ある対応をおこなうことができる。
【００７５】
（管理サーバ１１０の処理手順）
つぎに、管理サーバ１１０の処理手順について説明する。図９は、管理サーバ１１０の処理手順を示すフローチャートである。図９のフローチャートにおいて、まず、端末装置１２０から送信された所定の要求を受信するまで待機する（ステップＳ９０１：Ｎｏ）。ステップＳ９０１において、端末装置１２０から送信された所定の要求を受信した場合（ステップＳ９０１：Ｙｅｓ）、各システム１０１〜１０３における各サーバにアクセスし、該当する情報を取得する（ステップＳ９０２）。そして、ステップＳ９０２において取得した情報に基づいて上記の停電周知用情報を生成する（ステップＳ９０３）。
【００７６】
その後、ステップＳ９０１：Ｙｅｓにおいて受信した要求の送信元の端末装置１２０に対して、ステップＳ９０３において生成した停電周知用情報を出力（送信）して（ステップＳ９０４）、一連の処理を終了する。
【００７７】
（端末装置１２０の処理手順）
つぎに、端末装置１２０の処理手順について説明する。図１０は、端末装置１２０の処理手順を示すフローチャートである。図１０のフローチャートにおいて、まず、端末装置１２０に対する、要求送信の入力操作を受け付けたか否かを判断する（ステップＳ１００１）。ステップＳ１００１においては、管理サーバ１１０に対して、当該管理サーバ１１０から端末装置１２０に対する停電周知用情報の送信を求める要求の入力操作を受け付けたか否かを判断する。
【００７８】
ステップＳ１００１において、要求送信の入力操作を受け付けた場合（ステップＳ１００１：Ｙｅｓ）、管理サーバ１１０に対して、停電周知用情報の送信を求める要求を送信する（ステップＳ１００２）。そして、停電周知用情報を受信するまで待機する（ステップＳ１００３：Ｎｏ）。その後、停電周知用情報を受信した場合（ステップＳ１００３：Ｙｅｓ）、受信した停電周知用情報に基づいて、表示画面２２４において停電周知用系統図および需用家数を表示して（ステップＳ１００４）、一連の処理を終了する。
【００７９】
ステップＳ１００１において、要求送信の入力操作を受け付けていない場合（ステップＳ１００１：Ｎｏ）、入力情報の送信操作を受け付けたか否かを判断する（ステップＳ１００５）。ステップＳ１００５において、入力情報の送信操作を受け付けた場合（ステップＳ１００５：Ｙｅｓ）、管理サーバ１１０に対して、受け付けた入力情報を送信して（ステップＳ１００６）、一連の処理を終了する。
【００８０】
一方、ステップＳ１００５において、入力情報の送信操作を受け付けていない場合（ステップＳ１００５：Ｎｏ）、表示画面２２４における表示内容の切替操作を受け付けたか否かを判断する（ステップＳ１００７）。ステップＳ１００７において、表示内容の切替操作を受け付けていない場合（ステップＳ１００７：Ｎｏ）、ステップＳ１００１に戻る。一方、ステップＳ１００７において、表示内容の切替操作を受け付けた場合（ステップＳ１００７：Ｙｅｓ）、表示画面２２４における表示内容を切替えて（ステップＳ１００８）、ステップＳ１００７：Ｙｅｓにおいて受け付けた切替操作に応じた内容を表示する。
【００８１】
ステップＳ１００８においては、たとえば、停電周知用系統図および需用家数を表示する表示内容と、停電の区間に含まれる需用家に対する停電の周知業務の進捗状況を表示する表示内容とを切り替える。あるいは、ステップＳ１００８においては、たとえば、停電周知用系統図および需用家数を表示する表示内容と、停電に関する問い合わせ内容および対応内容を表示する表示内容と、を切り替える。
【００８２】
以上説明したように、この発明にかかる実施の形態の停電情報共有化システム１００は、表示画面２２４を備える端末装置１２０と、当該端末装置１２０と通信可能な管理サーバ１１０と、を備えている。そして、管理サーバ１１０は、端末装置１２０から出力された所定の要求を受け付けた場合に、配電自動化システム１０１から取得された情報を含む停電周知用情報を、当該要求の出力元の端末装置１２０に対して出力する。端末装置１２０は、管理サーバ１１０から出力された停電周知用情報に基づいて、停電している区間を停電していない区間と区別して示す停電周知用系統図および当該停電の区間に含まれる需用家数を表示画面２２４における単一の領域内に表示させるようにしたことを特徴としている。
【００８３】
この発明にかかる実施の形態の停電情報共有化システム１００によれば、広報担当者に対して、停電の区間および停電している需用家数を迅速かつ正確に把握させることができる。具体的に、停電情報共有化システム１００によれば、広報担当者は、従来のように、無線の聞き取り作業や、現地の作業担当者や営業所への確認作業が不要になるため、これらの作業に要していた手間や作業時間を省くことができ、また、これらの作業によって入手された情報に基づいて停電状況が変化するごとに手持ちの配電系統図に停電範囲を記載する作業を省くことができる。
【００８４】
このように、停電情報共有化システム１００によれば、停電状況を迅速かつ正確に把握させることができるので、広報担当者の周知業務の効率化を図ることができる。また、停電情報共有化システム１００によれば、需要家に正確な情報を迅速に提供することができるので、電力事業者は需用家への対応にかかる誠意を示し、需用家の不安を早期に解消することができる。
【００８５】
また、この発明にかかる実施の形態の停電情報共有化システム１００は、端末装置１２０から出力された所定の要求を受け付けた場合に、該当する情報を取得するようにしたことを特徴としている。
【００８６】
この発明にかかる実施の形態の停電情報共有化システム１００によれば、広報担当者に対して、当該広報担当者が端末装置１２０を操作した時点における停電状況を、迅速かつ正確に把握させることができる。これにより、広報担当者は、需用家に対して常に最新の停電状況を正確かつ迅速に提供することができる。
【００８７】
また、この発明にかかる実施の形態の停電情報共有化システム１００は、Ｗｅｂ系停電管理システム１０２から取得した情報に基づいて、停電の区間に含まれる需用家に対する停電の周知業務の進捗状況を表示画面２２４に表示させるようにしたことを特徴としている。
【００８８】
この発明にかかる実施の形態の停電情報共有化システム１００によれば、電力事業者の営業所と広報担当者とがＷｅｂ系停電管理システム１０２が管理する情報を共有することができるので、電力事業者の営業所と広報担当者との間で、停電の周知業務の進捗状況についての認識を共通化することができる。これにより、営業所に問い合わせをおこなった需用家に対しても、広報担当者によって停電状況が周知された需用家に対しても、同じ対応をすることができ、電力事業者は需用家への対応にかかる誠意を示し、需用家の不安を早期に解消することができる。
【００８９】
また、この発明にかかる実施の形態の停電情報共有化システム１００は、表示画面２２４において、停電周知用系統図および需用家数と、進捗状況とを切り替えて表示させるようにしたことを特徴としている。
【００９０】
この発明にかかる実施の形態の停電情報共有化システム１００によれば、基本的に停電周知用系統図を表示させ、広報担当者による所定の入力操作があった場合など、適宜、進捗状況を表示させることにより、端末装置１２０における限られた表示画面２２４を有効に活用して、広報担当者に対して、停電状況を正確に把握させることができる。これにより、広報担当者の周知業務の効率化を図ることができる。
【００９１】
また、この発明にかかる実施の形態の停電情報共有化システム１００は、申出内容管理システム１０３から取得した情報に基づいて、停電に関する問い合わせ内容および対応内容を表示画面２２４に表示させるようにしたことを特徴としている。
【００９２】
この発明にかかる実施の形態の停電情報共有化システム１００によれば、電力事業者の営業所と広報担当者とが申出内容管理システム１０３が管理する情報を共有することができるので、電力事業者の営業所と広報担当者との間で、停電の周知業務の進捗状況についての認識を共通化することができる。これにより、営業所に問い合わせをおこなった需用家に対しても、広報担当者に問い合わせをおこなった需用家に対しても、同じ対応をすることができ、電力事業者は需用家への対応にかかる誠意を示し、需用家の不安を早期に解消することができる。
【００９３】
また、この発明にかかる実施の形態の停電情報共有化システム１００は、表示画面２２４において、停電周知用系統図および需用家数と、停電に関する問い合わせ内容および対応内容とを切り替えて表示させるようにしたことを特徴としている。
【００９４】
この発明にかかる実施の形態の停電情報共有化システム１００によれば、基本的に停電周知用系統図を表示させ、広報担当者による所定の入力操作があった場合など、適宜、停電に関する問い合わせ内容および対応内容を表示させることにより、端末装置１２０における限られた表示画面２２４を有効に活用して、広報担当者に対して、停電状況を正確に把握させることができる。これにより、広報担当者の周知業務の効率化を図ることができる。
【００９５】
このように、この発明にかかる実施の形態の停電情報共有化システム１００によれば、広報担当者による停電状況の把握から、営業所への停電周知状況などを報告することによる広報担当者と営業所との情報共有化までを効率的におこなうことができる。
【００９６】
上述した停電情報共有化システム１００は、広報車に限らず、作業担当者が乗車する配電車両に搭載してもよい。停電情報共有化システム１００を配電車両に搭載することにより、停電が発生している現場の作業担当者が、指令者の指示内容に誤りがないかを当該現場において確認することができる。
【産業上の利用可能性】
【００９７】
以上のように、この発明にかかる停電情報共有化システムは、停電状況の周知業務を支援する停電情報共有化システムに有用であり、特に、広報車に乗車して周知をおこなう周知業務を支援する停電情報共有化システムに適している。
【符号の説明】
【００９８】
１００  停電情報共有化システム
１０１  配電自動化システム
１０２  Ｗｅｂ系停電管理システム
１０３  申出内容管理システム
１１０  管理サーバ
１２０  端末装置
３０１  停電情報取得部
３０２  停電周知用情報生成部
３０３  出力部
３０４  入力情報受信部
３０５  入力情報送信部
３１１  入力受付部
３１２  通信部
３１３  表示部
【図１】
2018041229.tif 000003
【図２Ａ】
2018041229.tif 000004
【図２Ｂ】
2018041229.tif 000005
【図３】
2018041229.tif 000006
【図４】
2018041229.tif 000007
【図５】
2018041229.tif 000008
【図６】
2018041229.tif 000009
【図７】
2018041229.tif 000010
【図８】
2018041229.tif 000011
【図９】
2018041229.tif 000012
【図１０】
2018041229.tif 000013